(57)【要約】【課題】表示が見やすい遊技台の表示装置を得る。【解決手段】入力される数値情報に基づいて数値情報を表示する表示部１を備え、表示部１は、少なくとも７つのセグメントを８の字状に並べて１桁の数値を表示する数値表示部１６が複数配列されて形成される。また、数値表示部１６を制御して数値情報に基づいて数値情報に応じた数値を表示する（Ｓ１２０）、あるいは、数値表示部１６を制御して数値情報に基づいて数値表示部１６の少なくとも１つのセグメントの表示を並べて数値情報に応じたグラフを表示（Ｓ１３０）するかを、切換スイッチにより、または、設定された時間の経過により切り換える（Ｓ１１０）。【選択図】  図４
2008253673.tif 000002
【特許請求の範囲】
【請求項１】
入力される数値情報に基づいて前記数値情報を表示する表示部を備え、設置島に配列された各遊技台毎に設けられる遊技台の表示装置において、
前記表示部は、少なくとも７つのセグメントを８の字状に並べて１桁の数値を表示する数値表示部が複数配列されて形成されると共に、
前記数値表示部を制御して前記数値情報に基づいて前記数値情報に応じた数値を表示する数値表示制御手段と、
前記数値表示部を制御して前記数値情報に基づいて前記数値表示部の少なくとも１つのセグメントの表示を並べて前記数値情報に応じたグラフを表示するグラフ表示制御手段と、
前記数値表示制御手段または前記グラフ表示制御手段による表示を切り換える切換手段とを備えたことを特徴とする遊技台の表示装置。
【請求項２】
前記切換手段は、切換スイッチにより前記数値表示制御手段または前記グラフ表示制御手段による表示を切り換えることを特徴とする請求項１に記載の遊技台の表示装置。
【請求項３】
前記切換手段は、設定された時間の経過により前記数値表示制御手段または前記グラフ表示制御手段による表示を切り換えることを特徴とする請求項１に記載の遊技台の表示装置。
【請求項４】
前記入力される数値情報が大当り回数であることを特徴とする請求項１ないし請求項３のいずれかに記載の遊技台の表示装置。
【請求項５】
前記入力される数値情報がスタート回数であることを特徴とする請求項１ないし請求項３のいずれかに記載の遊技台の表示装置。
【請求項６】
前記入力される数値情報が遊技媒体の獲得数であることを特徴とする請求項１ないし請求項３のいずれかに記載の遊技台の表示装置。
【発明の詳細な説明】
【技術分野】
【０００１】
本発明は、設置島に配列された各遊技台毎に設けられる遊技台の表示装置に関する。
【背景技術】
【０００２】
従来より、特許文献１にあるように、設置島に配列された各遊技台毎に設けられる遊技台の表示装置には、遊技台等から入力されるスタート回数や大当り回数等の数値情報を、０〜９の数値を７つのセグメントに分割して８の字状に並べて表示する数値表示部により表示するようにしている。また、ＬＥＤをマトリックス状に並べて数値情報の履歴を棒グラフで表示するグラフ表示部により、数値情報を棒グラフで表示するようにしている。数値表示部に表示される数値情報により、具体的な数値を知ることができると共に、グラフ表示部に表示される棒グラフにより感覚的に数値の履歴等を知ることができる。
【特許文献１】特開２００５−３２３９２０号公報
【発明の開示】
【発明が解決しようとする課題】
【０００３】
しかしながら、こうした従来の遊技台の表示装置は、設置島に配列された各遊技台毎に設けられるため、設置スペースが限られ、遊技台の表示装置に数値表示部とグラフ表示部とを設けると、それぞれの表示部は小さなものとなり、表示が小さく見難いという問題があった。
【０００４】
本発明の課題は、表示が見やすい遊技台の表示装置を提供することにある。
【課題を解決するための手段】
【０００５】
かかる課題を達成すべく、本発明は課題を解決するため次の手段を取った。即ち、
入力される数値情報に基づいて前記数値情報を表示する表示部を備え、設置島に配列された各遊技台毎に設けられる遊技台の表示装置において、
前記表示部は、少なくとも７つのセグメントを８の字状に並べて１桁の数値を表示する数値表示部が複数配列されて形成されると共に、
前記数値表示部を制御して前記数値情報に基づいて前記数値情報に応じた数値を表示する数値表示制御手段と、
前記数値表示部を制御して前記数値情報に基づいて前記数値表示部の少なくとも１つのセグメントの表示を並べて前記数値情報に応じたグラフを表示するグラフ表示制御手段と、
前記数値表示制御手段または前記グラフ表示制御手段による表示を切り換える切換手段とを備えたことを特徴とする遊技台の表示装置がそれである。
【０００６】
前記切換手段は、切換スイッチにより前記数値表示制御手段または前記グラフ表示制御手段による表示を切り換える構成でもよい。あるいは、前記切換手段は、設定された時間の経過により前記数値表示制御手段または前記グラフ表示制御手段による表示を切り換える構成でもよい。
【０００７】
また、前記入力される数値情報が大当り回数であってもよく、あるいは、前記入力される数値情報がスタート回数であってもよく、あるいは、前記入力される数値情報が遊技媒体の獲得数であってもよい。
【発明の効果】
【０００８】
本発明の遊技台の表示装置は、切換手段により数値表示制御手段とグラフ表示制御手段とを切り換え、数値表示制御手段は数値表示部を制御して数値情報に応じた数値を表示し、グラフ制御手段は数値表示部を制御してセグメントの表示を並べて数値情報に応じたグラフを表示するので、数値表示部を大きくすることができ、表示が見やすいという効果を奏する。切換手段が切換スイッチにより数値表示制御手段またはグラフ表示制御手段による表示を切り換えることにより、何時でも必要なときに表示を切り換えることができる。また、切換手段が設定された時間の経過により数値表示制御手段またはグラフ表示制御手段による表示を切り換えることにより、煩わしい操作をすることなく自動的に切り換えられるので、使い勝手がよい。
【発明を実施するための最良の形態】
【０００９】
以下本発明を実施するための最良の形態を図面に基づいて詳細に説明する。
図１に示すように、１は複数の情報を表示する表示部で、本体カバー２のほぼ中央に形成された窓に表示部１が配置されて、表示部１に表示される情報を視認することができるように構成されている。表示部１の両側には、ランプ部４，６が設けられており、表示部１と一方のランプ部４との間には呼出スイッチ８が設けられている。
【００１０】
図１、図２に示すように、表示部１は、左側のほぼ半分に、上側にはスタート回数累計・獲得数を４桁の数値で表示するスタート・獲得表示部１０が設けられると共に、その下側には、スタート回数の履歴等を表示する表示共用部１２が設けられている。また、表示部１の右側のほぼ半分には、本日、一日前、二日前の大当り回数や確変を数値で表示する確変等表示部１４が設けられている。
【００１１】
表示共用部１２は、０〜９の数値を７つのセグメントに分割して８の字状に並べて表示する数値表示部１６が１列に複数、本実施形態では１２個並べられている。また、この数値表示部１６が複数並べられた列が、縦方向に複数列、本実施形態では６列並べられている。
【００１２】
０〜９の数値を表示する場合、数値を７つのセグメントに分割して８の字状に並べて表示することが知られており、数値を表示するために、このセグメントとしての表示単位に応じて図示しない発光素子が配置されて、表示部１が構成されている。複数のセグメントにはそれぞれ赤、緑、青の発光素子（ＬＥＤ）が並べられて配置されており、それぞれの輝度を制御することにより自由な色相を表示できる。尚、蛍光管を用いたものも知られている。
【００１３】
図３に示すように、前述した表示部１、ランプ部４，６、呼出スイッチ８は制御回路２０に接続されている。制御回路２０は処理プログラムを実行するＣＰＵ２１、処理プログラム等を記憶するメモリ２２等を備えると共に、表示部１が接続された表示駆動回路２４、ランプ部４，６が接続されたランプ駆動回路２６、タイマ回路２８等を備えている。
【００１４】
また、ＣＰＵ２０には、遊技台３０からの大当り信号や確変信号等の情報やホールコンピュータ３２からの情報が入力回路３４を介して入力されると共に、呼出スイッチ８や切換スイッチ３６からの信号が入力される。ＣＰＵ２０は、メモリ２２に記憶されたプログラムやデータ等に基づいて、表示駆動回路２４やランプ駆動回路２６を介して表示部１やランプ部４，６を駆動制御するように構成されている。
【００１５】
次に、前述したＣＰＵ２０において行われる表示制御処理について、図４に示すフローチャートによって説明する。
まず、遊技台３０やホールコンピュータ３２からの情報を入力回路３４を介して読み込む（ステップ１００）。次に、切換か否かを判断する（ステップ１１０）。切換か否かは、切換スイッチ３６が「数値」側にあるか、「グラフ」側にあるか否かにより判断する。あるいは、タイマ回路２８により計測される時間に応じて、一定時間毎に「数値」側、あるいは「グラフ」側にするか否かを判断してもよい。
【００１６】
「数値」側に切り換えると判断すると、続いて、入力された情報を数値で表示する処理を行う（ステップ１２０）。数値で表示する処理では、図５に示すように、入力された情報、例えば、１〜６回前のそれぞれの獲得数、スタート回数、継続をそれぞれ表示共用部１２の複数の各数値表示部１６を制御して、０〜９の数値で表示する。
【００１７】
一方、ステップ１１０の処理の実行により、「グラフ」側に切り換えると判断すると、入力された情報をグラフで表示する処理を行う（ステップ１３０）。グラフで表示する処理では、図６に示すように、入力された情報、例えば、０〜５回前のそれぞれのスタート回数を１／１００して、その大きさを表示共用部１２の複数の各数値表示部１６を制御して、数値表示部１６の数で表示する。
【００１８】
スタート回数が「１０２１」であれば、これを１／１００して端数を切り捨て「１０」とし、１０個の数値表示部１６を点灯して棒グラフの長さとして表示する。図６では１つの数値表示部１６の７つのセグメントのうち、下側の４つのセグメントにより丸を表示し、これを１０個並べて表示して、「１０」を示す棒グラフを表示している。
【００１９】
棒グラフの表示はこれに限らす、図７に示すように、１つの数値表示部１６により数値の「０」を表示し、１０個の数値表示部１６を点灯して棒グラフの長さとして表示してもよい。あるいは、図８に示すように、１つのセグメントを点灯し、これを１０個並べて表示して、「１０」を示す棒グラフを表示してもよい。更に、図９に示すように、縦に２つのセグメントを点灯し、これを１０個並べて表示して、「１０」を示す棒グラフを表示してもよい。
【００２０】
表示共用部１２の複数の各数値表示部１６を制御して、入力される数値情報を数値で表示するか、または、入力される数値情報を数値表示部１６の数でグラフを表示するかを切り換えるので、、数値表示部１６を大きくすることができ、表示する数値を大きく、あるいは、表示するグラフを大きくすることができ、表示を見やすくすることができる。
【００２１】
切換スイッチ３６により数値表示またはグラフ表示を切り換えることにより、何時でも必要なときに表示を切り換えることができる。また、タイマ回路２８による設定された時間の経過により数値表示またはグラフ表示を切り換えることにより、煩わしい操作をすることなく自動的に切り換えられるので、使い勝手がよい。
【００２２】
尚、本実施形態では、Ｓ１２０の処理の実行が数値表示制御手段として働き、Ｓ１３０の処理の実行がグラフ表示制御手段として働き、Ｓ１００の処理の実行が切換手段として働く。
【００２３】
以上本発明はこの様な実施形態に何等限定されるものではなく、本発明の要旨を逸脱しない範囲において種々なる態様で実施し得る。
【図面の簡単な説明】
【００２４】
【図１】本発明の一実施形態としての遊技台の表示装置の正面図である。
【図２】本実施形態の表示部の拡大正面図である。
【図３】本実施形態の遊技台の表示装置の電気系統を示すブロック図である。
【図４】本実施形態の制御回路において行われる表示制御処理の一例を示すフローチャートである。
【図５】本実施形態の表示共用部による数値の表示を示す説明図である。
【図６】本実施形態の表示共用部によるグラフの表示を示す説明図である。
【図７】本実施形態の表示共用部によるグラフの表示の他の例を示す説明図である。
【図８】本実施形態の表示共用部によるグラフの表示の別の例を示す説明図である。
【図９】本実施形態の表示共用部によるグラフの表示の更に他の例を示す説明図である。
【符号の説明】
【００２５】
１…表示部          ２…本体カバー
４，６…ランプ部    ８…呼出スイッチ
１０…獲得表示部    １２…表示共用部
１４…確変等表示部  １６…数値表示部
２０…制御回路
【図１】
2008253673.tif 000003
【図２】
2008253673.tif 000004
【図３】
2008253673.tif 000005
【図４】
2008253673.tif 000006
【図５】
2008253673.tif 000007
【図６】
2008253673.tif 000008
【図７】
2008253673.tif 000009
【図８】
2008253673.tif 000010
【図９】
2008253673.tif 000011